(57)【要約】  【課題】天板構成部材の部分的な交換を可能にすることによって、製品品質を有効に維持するとともに寿命を延命し、意匠の追求にも便ならしめた組立式木製天板を提供する。  【解決手段】所定方向に配列した木製素材からなる複数の天板構成部材たるエンド天板部材１及び中間天板部材２と、これらの天板部材１，２間（２，２間）を配列方向に締め付けて着脱可能に連結する連結具３とを具備して構成した。  【選択図】図３
2010115850.tif 000002
【特許請求の範囲】
【請求項１】
所定方向に配列した木製素材からなる複数の天板構成部材と、これらの天板構成部材間を配列方向に締め付けて着脱可能に連結する連結具とを具備してなることを特徴とする組立式木製天板。
【請求項２】
連結具は、天板の肉厚内に設けた収納部に収容されている請求項１記載の組立式木製天板。
【請求項３】
各天板構成部材の間に更に金属板材が共締め状態で介在されている請求項１又は２何れかに記載の組立式木製天板。
【請求項４】
天板構成部材および金属板材の間に凹凸で嵌り合う関係の凹凸関連部を構成し、これらの凹凸関連部によって天板厚み方向の位置ずれを規制するようにしている請求項３記載の組立式木製天板。
【請求項５】
天板構成部材の連結端面に突合せ時に有底穴を形成する凹所を設ける一方、金属板材の凹凸関連部を構成する部位にブラケットを嵌め合い状態で係り合わせ、このブラケットの一部を前記有底穴に収容し他の部位を天板構成部材の下面側に突出させている請求項４記載の組立式木製天板。
【請求項６】
ブラケットが両側に隣接する天板構成部材にまたがる位置に配置されてそれらの天板構成部材の下面に直接又は密接部材を介して同時に密着している請求項５載の組立式木製天板。
【請求項７】
収納部が、中間に位置する天板構成部材に設けた連結方向の貫通孔と、エンドに位置する天板構成部材に設けた連結方向に開口する非貫通孔とを具備し、連結具が、貫通孔を貫通して非貫通孔に両端を臨ませた連結杆と、非貫通孔において連結杆に螺合されるナットとを具備し、非貫通孔に連続する位置に天板構成部材の下面側に開口する縦穴を形成してこの縦穴から前記連結杆に螺合させたナットを締め付け、エンドに位置する天板構成部材同士を中間に位置する天板構成部材を挟んで連結している請求項１〜６何れかに記載の組立式木製天板。
【請求項８】
配列方向の一端側のエンドに位置する天板構成部材と中間に位置する天板構成部材との間を連結する第１の部分連結杆と、配列方向の他端側のエンドに位置する天板構成部材と中間に位置する天板構成部材との間を連結する第２の部分連結杆とを少なくとも用いて天板構成部材全体を一体化している請求項７記載の組立式木製天板。
【請求項９】
天板構成部材が配列方向と直交する長手方向に分割されている場合において、長手方向の一端側に位置する分割片同士を配列方向に連結する第１連結杆と、長手方向の他端側に位置する分割片同士を配列方向に連結する第２連結杆と、長手方向の一端側に位置する分割片と長手方向の他端側に位置する分割片とが混在する部分を連結する第３連結杆とを少なくとも用いて天板構成部材全体を一体化している請求項７記載の組立式木製天板。
【請求項１０】
請求項５又は６何れかに記載の組立式木製天板を利用し、そのブラケットに脚フレームを直接または間接に取り付けて構成されることを特徴とする木製天板付き家具。
【請求項１１】
脚フレームが、ブラケット及び縦穴を塞ぐようにして当該ブラケットに取り付けられる請求項１０記載の木製天板付き家具。
【発明の詳細な説明】
【技術分野】
【０００１】
本発明は、複数の天板構成部材を配列して構成される組立式木製天板およびこれを利用した木製天板付き家具に関するものである。
【背景技術】
【０００２】
組立式木製天板として、従来より短冊状の天板構成部材を複数集めて天板を構成する手法が知られている。
【０００３】
特許文献１は、このような木製天板に対して、天板構成部材同士の反りや捻れを防止する手立ての一つを開示している。
【特許文献１】特開２００５−１３１９６６号公報
【発明の開示】
【発明が解決しようとする課題】
【０００４】
ところで、従来の木製天板は特許文献１の構造も含めて、天板構成部材の側端面同士を接着剤で接着するようにしている。このため、一旦接着した後は天板構成部材同士の入れ替えができず、組み替えて色目や模様などを再調整することができないという不具合がある。
【０００５】
また、工場から組み付け状態で出荷しなければならないため、梱包や輸送、収納効率が悪く、スペースや輸送コストが嵩むという問題がある。
【０００６】
さらに、木製素材特有の課題である傷や汚損、焼損等が部分的に生じた場合にも、部分的な取替えができないために天板全体の品質や製品寿命に直結して、傷ものが発生し易く、廃棄処分率も高くなるという不具合がある。
【０００７】
本発明は、このような課題に着目してなされたものであって、天板構成部材の部分的な交換を可能にすることによって、製品品質を有効に維持するとともに寿命を延命し、意匠の追求も有効に行い得るようにした組立式木製天板を提供することを目的としている。
【課題を解決するための手段】
【０００８】
本発明は、かかる目的を達成するために、次のような手段を講じたものである。
【０００９】
すなわち、本発明の組立式木製天板は、所定方向に配列した木製素材からなる複数の天板構成部材と、これらの天板構成部材間を配列方向に締め付けて着脱可能に連結する連結具とにより構成したものである。
【００１０】
このように構成すれば、天板構成部材の入れ替えや選択が自在であるため、組む前も組んだ後からでも木製素材の色目の違いなどを調節することが容易となり、奥行き方向の寸法違い等にも有効に対応することができる。しかも、組立前は小さく梱包して搬入先で組み立てることが可能であるほか、天板構成部材の一部の取り替えができるため、木製素材特有の課題である焼損や汚損等にも簡単、適切に対応することが可能となる。
【００１１】
端正な外観と適切な連結状態とを同時に実現するためには、連結具は、天板の肉厚内に設けた収納部に収容されていることが望ましい。
【００１２】
木素材に特有の反りの問題に適切に対処するためには、各天板構成部材の間に更に金属板材が共締め状態で介在されていることが好ましい。
【００１３】
金属板材を用いて天板の面精度を高めるためには、天板構成部材および金属板材の間に凹凸で嵌り合う関係の凹凸関連部を構成し、これらの凹凸関連部によって天板厚み方向の位置ずれを規制するようにしていることが望ましい。
【００１４】
上記の組立構造を利用して脚等の取付け場所を同時に確保するためには、天板構成部材の連結端面に突合せ時に有底穴を形成する凹所を設ける一方、金属板材の凹凸関連部を構成する部位にブラケットを嵌め合い状態で係り合わせ、このブラケットの一部を前記有底穴に収容し他の部位を天板構成部材の下面側に突出させていることが有効である。
【００１５】
このブラケットを天板の面精度の向上に利用するためには、ブラケットが両側に隣接する天板構成部材にまたがる位置に配置されてそれらの天板構成部材の下面に直接又は密接部材を介して同時に密着していることが効果的である。
【００１６】
天板の肉厚内に連結具を収納する構造を組立分解の容易性を確保しつつ有効に実現するためには、収納部が、中間に位置する天板構成部材に設けた連結方向の貫通孔と、エンドに位置する天板構成部材に設けた連結方向に開口する非貫通孔とを具備し、連結具が、貫通孔を貫通して非貫通孔に両端を臨ませた連結杆と、非貫通孔において連結杆に螺合されるナットとを具備し、非貫通孔に連続する位置に天板構成部材の下面側に開口する縦穴を形成してこの縦穴から前記連結杆に螺合させたナットを締め付け、エンドに位置する天板構成部材同士を中間に位置する天板構成部材を挟んで連結するように構成していることが好ましい。
【００１７】
上記の構成を利用して大型の木製天板を構成するための一態様としては、配列方向の一端側のエンドに位置する天板構成部材と中間に位置する天板構成部材との間を連結する第１の部分連結杆と、配列方向の他端側のエンドに位置する天板構成部材と中間に位置する天板構成部材との間を連結する第２の部分連結杆とを少なくとも用いて天板構成部材全体を一体化する構造が挙げられる。
【００１８】
或いは、他の態様としては、天板構成部材が配列方向と直交する長手方向に分割されている場合において、長手方向の一端側に位置する分割片同士を配列方向に連結する第１連結杆と、長手方向の他端側に位置する分割片同士を配列方向に連結する第２連結杆と、長手方向の一端側に位置する分割片と長手方向の他端側に位置する分割片とが混在する部分を連結する第３連結杆とを少なくとも用いて天板構成部材全体を一体化する構造が挙げられる。
【００１９】
上記の組立式木製天板のブラケットに脚フレームを直接または間接に取り付ければ、木製天板付き家具を簡単に構成することができ、その脚フレームによってブラケット及び縦穴を塞ぐように配置すれば、天板下面の見栄えを有効に向上させることが可能となる。
【発明の効果】
【００２０】
本発明は、以上説明した構成により、組立前は勿論のこと、一旦組み立てた後においても、天板構成部材の部分的な交換が可能になるため、色目や模様の変更等を通じて意匠を追求することができ、ノックダウンも容易で、使用時には傷や汚損、焼損した部位のみを取り替えることによって製品品質を有効に維持するとともに天板寿命を有効に延命することができる。さらに分別廃棄も可能である。したがって、間伐材などの集成材を用いて天板を構成する場合に極めて有効であり、間伐材利用の趣旨とも相まってエコロジーに資する組立式木製天板として提供することができる。
【発明を実施するための最良の形態】
【００２１】
以下、本発明の一実施形態を、図面を参照して説明する。
【００２２】
図１は、本実施形態の組立式木製天板Ａを用いて天板付き家具であるテーブルＢを構成した例を示している。この木製天板Ａは、複数の角材状の天板構成部材１、２を奥行き方向に配列して構成されるもので、天板構成部材１，２同士（２，２同士）の間は、接着を用いない着脱可能な連結構造を採用している。
【００２３】
図２及び図３は、組立式木製天板Ａの構成及び組立手順を説明するための概念図である。概念図であるため、図１の天板構成部材１，２の形状等とは対応していない。エンドに位置する天板構成部材１（以下、「エンド天板部材」と称する）に対して、中間に位置する天板構成部材２（以下、「中間天板部材」と称する）が順次継ぎ合わされ、最後に反対側のエンド天板部材１を継ぎ合わせた状態で、連結具３によって連結されている。
【００２４】
エンド天板部材１は、側端面に２条の溝１１ａ、１１ｂを有しているとともに、配列方向（連結方向）に開口する非貫通孔１２を有し、その非貫通孔１２は、下面側に開口する位置に設けた縦穴１３に連続している。
【００２５】
中間天板部材２は、左右の側端面に各々２条の溝２１ａ、２１ｂを有するとともに、配列方向に貫通する貫通孔２２を有している。この貫通孔２２は、前記非貫通孔１２に連続する位置に設けてある。
【００２６】
エンド天板部材１と中間天板部材２の間、或いは中間天板部材２，２の間には、金属板材であるアルミ製の幅方向フレーム４が介在される。この幅方向フレーム４は、天板部材１，２の側端面に略対応する大きさの面を有する短冊状の押し出し成形体で、両面に前記２条の溝１１ａ、１１ｂ（２１ａ、２２ｂ）に凹凸で嵌り合う突条４１ａ、４１ｂを有しているとともに、肉厚方向に貫通する貫通孔４２が前記非貫通孔１２および貫通孔２２に連続する位置に設けてある。
【００２７】
一方、連結具３は、前記エンド天板部材１の非貫通孔１２から幅方向フレーム４の貫通孔４２や中間天板部材２の貫通孔２２を介して反対側のエンド天板部材１（図５参照）の非貫通孔１２に亘って挿入され両端にねじ３１ａを形成された連結杆３１と、この連結杆３１の両端に螺合するナット３２とを備える。この連結杆３１を差し込む前に、エンド天板部材１の縦穴１３には半月状のワッシャ５が装着される。このワッシャ５にも図２に示すように連結杆３１を挿し通すための貫通孔５２が設けられている。
【００２８】
連結にあたり、前記幅方向フレーム４には、天板連結用のブラケット６が取り付けられる。このブラケット６は、図４（ａ）及び（ｂ）に示すように、大径部６１と小径部６２が連続した段付き円柱状をなす樹脂成形体で、大径部６１に前記幅方向フレーム４の両面に存する上下一対の突条４１ａ、４１ｂのうちの下側の突条４１ａ、４１ａを通過させる逆Ｔ字状の溝６１ａを有し、小径部６２に更に配列方向から見て径を細くする括れ部６３が設けてある。これに対応して、図２に示すエンド天板部材１および中間天板部材２の連結端面には、天板部材１，２同士（２，２同士）の突合せ時に有底穴を形成して前記ブラケット６の大径部６１を収容するような半月状の凹所１４、２４が設けてある。
【００２９】
すなわち、中間天板部材２に設けた連結方向の貫通孔２２と、エンド天板部材１に設けた連結方向の非貫通孔１２とが、本発明の収納部を構成し、この収納部を利用して、前記連結具３を構成する連結杆３１およびナット３２を天板Ａの肉厚内に収容するようにしている。
【００３０】
ここで、この組立式木製天板Ａの組立手順について説明する。先ず、エンド天板部材１に半月ワッシャ５を装着して非貫通孔１２に連結杆３１を差し込み、連結杆３１の端部のねじ３１ａにナット３２を螺合させる。そして、幅方向フレーム４に長手方向に沿ってブラケット６を差し込み、この幅方向フレーム４の貫通孔４２に連結杆３１を挿入して当該幅方向フレーム４の連結端面をエンド天板部材１の連結端面に当てがう。このとき、突条４１ａ、４１ｂと溝１１ａ、１１ｂが嵌り合って、図５に示す本発明の凹凸関連部Ｘを構成する。ブラケット６の片半部はエンド天板部材１の半月状の凹所１４に装着される。
【００３１】
次に、前記連結杆３１に中間天板部材２の貫通孔２２を挿入して、当該中間天板部材２の連結端面を幅方向フレーム４に当てがう。このときも、突条４１ａ、４１ｂと溝１１ａ、１１ｂが嵌り合って、図５に示す凹凸関連部Ｘを構成する。ブラケット６の残りの片半部は中間天板部材２の凹所２４に装着される。上記において、幅方向フレーム４は予め隣接する天板部材１，２の何れか（天板部材２，２の何れか）に凹凸で一体的に嵌め合わせておいてもよい。
【００３２】
さらに、必要な数だけ上記と同様にして幅方向フレーム４および中間天板部材２を順次または一体的に装着し、最後に反対側のエンド天板部材１を装着する。この最後のエンド天板部材１も図５に示すように非貫通孔１２を有し、予め縦穴１４に半月ワッシャ５を装着後、非貫通孔１２を連結杆３１に挿し通す。そして、縦穴１３において連結杆３１の他端のねじ３１ａにナット３２を螺合させ、最初のエンド天板部材１の縦穴１３内に螺合させたナット３２との間でエンド天板部材１，１同士を中間天板部材２を介して締め付ける。これにより、エンド天板部材１および中間天板部材２が一体化され、図１の組立式木製天板Ａが完成される。以上は天地を逆さにして作業を行う。
【００３３】
この状態で、天板Ａ下面には、図３に示すように複数のブラケット６の小径部６２が図４（ｂ）に示した括れ部６３とともに天板部材１，２の配列方向に突出することとなる。そこで、図５及び図６に示すように、その括れ部６３に密接部材であるＣリング状の皿バネ７ａを係り合わせた上で、配列方向に沿って図３及び図６に示すように一部に連続開口溝７１を設けた部分角パイプ状の奥行き方向フレーム７を、その開口溝７１に括れ部６３が位置しその開口溝７１周辺の内面７２にブラケット６の小径部６２が係り合うようにして順次各ブラケット６に奥行き方向フレーム７を係り合わせてゆく。奥行き方向フレーム７を全てのブラケット６に係り合わせた後は、奥行き方向フレーム６の両端に例えば図示しないキャップを装着して開口端の閉止と奥行き方向フレーム７のずれ止めを図る。そして、この奥行き方向フレーム７を利用して、図１のような門形の脚Ｃを構成すれば、当該脚Ｃと組立式木製天板Ａが一体となった木製天板付き家具Ｂを完成することができる。奥行き方向フレーム７、７間は必要に応じて他のフレームにより連結しておいてもよい。
【００３４】
以上のように、本実施形態の組立式木製天板Ａは、所定方向に配列した木製素材からなる複数の天板構成部材たるエンド天板部材１及び中間天板部材２と、これらの天板部材１，２間（２，２間）を配列方向に締め付けて着脱可能に連結する連結具３とにより構成したものであり、天板部材１，２の入れ替えや選択が自在であるため、組む前も組んだ後からでも木製素材の色目の違いなどを調節して意匠を追求することが可能となり、奥行き方向の寸法違い等にも有効に対応することができる。しかも、組立前は小さく梱包して搬入先で組み立てることが可能であるほか、天板部材１，２の一部の取り替えができるため、木製素材特有の課題である傷や汚損、焼損などが生じても、簡単、適切に対応して、品質の維持と天板寿命の延命を図ることが可能となる。
【００３５】
その連結具３も、天板Ａの肉厚内に設けた収納部に収容されているので、天板Ａの外形に影響を及ぼすことなく、また天板Ａの内部の適切な位置で適切な方向に締め付けることによって、確実な連結を行うことができる。
【００３６】
また、各天板部材１，２間（２，２間）に更に金属板材である幅方向フレーム４が共締め状態で介在されているので、この幅方向フレーム４に天板部材１，２の連結端面を沿わせることで、反りや部材間の隙間の発声を有効に防止することができる。
【００３７】
さらに、天板部材１、２と幅方向フレーム４との間に凹凸で嵌り合う関係の凹凸関連部Ｘを構成し、これらの凹凸関連部Ｘによって隣接する天板部材１，２（２，２）の天板厚み方向の位置ずれを規制するようにしているので、全ての天板部材１，２の天板厚み方向の位置を揃えて、天板Ａの面精度を有効に高めることができる。
【００３８】
この場合、天板部材１，２の連結端面に突合せ時に有底穴を形成する凹所１４、２４を設ける一方、幅方向フレーム４の凹凸関連部Ｘを構成する突条４１ａにブラケット６を嵌め合い状態で係り合わせ、このブラケット６の一部を前記凹所１４，２４によってそれぞれ形成される有底穴に収容し他の部位を天板部材１，２の下面側に突出させた状態で、天板部材１，２（２、２）を連結するようにしているので、ブラケット６を無理なく天板Ａに一体化することができ、この木製天板Ａの脚Ｃへの取り付けをブラケット６を利用して安定、有効に行うことができる。
【００３９】
その際、ブラケット６が両側に隣接する天板部材１，２（２，２）にまたがる位置に配置されてそれらの天板部材１，２の下面に密接部材であるワッシャ７ａを介して同時に密着するようにしているので、ブラケット６を利用して天板Ａの面精度を更に向上させることができる。
【００４０】
さらにまた、収納部が、中間天板部材２に設けた連結方向の貫通孔２２と、エンド天板部材１に設けた連結方向に開口する非貫通孔１２とを具備し、連結具３が、貫通孔２２を貫通して非貫通孔１２に両端を臨ませた連結杆３１と、非貫通孔１２において連結杆３１に螺合されるナット３２とを具備し、非貫通孔１２に連続する位置にエンド天板部材１の下面側に開口する縦穴１３を形成してこの縦穴１３から前記連結杆３１に螺合させたナット３２を締め付け、エンド天板部材１、１同士を中間天板部材２を挟んで連結するようにしているので、天板Ａの内部の収納部に連結具３を組み込むという構造を、組立分解が容易な状態で有効に実現することが可能となる。
【００４１】
そして、上記の組立式木製天板Ａのブラケット６に脚フレームとなる奥行き方向フレーム７を取り付ければ、木製天板付き家具Ｂを容易に構成することができるので、天板Ａに別途にブラケットをねじ止めすること等は不要であり、天板部材１，２を極力傷付けることなく、脚Ｂの取り付けを簡略に行うことが可能となる。
【００４２】
その場合、本実施形態の奥行き方向フレーム７は、ブラケット６及び縦穴１３，２３を塞ぐ位置に配置されるため、外観も有効に向上させることが可能となる。
【００４３】
なお、各部の具体的な構成は、上述した実施形態のみに限定されるものではない。
【００４４】
例えば、上記実施形態では、天板部材１，２の連結端面の間に幅方向フレーム４の厚みが表出して一つのアクセントとして利用されているが、天板部材１，２の連結端面の少なくとも上面側に突条を設ければ、幅方向フレーム４を完全に天板上面から目隠しするように構成することも可能である。
【００４５】
また、図７に示すように、配列方向の一端側のエンド天板部材１Ａと一部の中間天板部材２Ａとの間を連結する第１の部分連結杆３Ａと、配列方向の他端側のエンド天板部材１Ｂと一部の中間天板部材２Ｂとの間を連結する第２の部分連結杆３Ｂとを少なくとも用いて天板部材１Ａ，２Ａの全体を一体化するようにしてもよい。このように構成すれば、配列方向の天板奥行き寸法が大きく、部分連結杆３Ａ，３Ｂがそれよりも短い場合においても、部分連結杆３Ａ，３Ｂが相互に連結を補い合うので、大型の木製天板も有効に構成することができる。この場合、部分連結杆３Ｂの端部が位置する中間天板部材２Ｂの孔は非貫通孔とすればよい。
【００４６】
さらに、図８に示すように、天板部材１，２が配列方向と直交する長手方向に継目１ｘ、２ｘにおいて分割されている場合において、長手方向の一端側に位置する天板部材１，２の分割片（ハッチング部分）同士を配列方向に連結する第１連結杆３ｐと、長手方向の他端側に位置する分割片（非ハッチング部分）同士を配列方向に連結する第２連結杆３ｑと、長手方向の一端側に位置する分割片と長手方向の他端側に位置する分割片とが混在する部分を連結する第３連結杆３ｒとを少なくとも用いて天板部材１，２の全体を一体化するように構成してもよい。このように構成すれば、配列方向と直交する長手方向の天板寸法が大きく、天板部材１，２がそれよりも短い場合においても、各連結杆３ｐ、３ｑ、３ｒが相互に連結を補い合うので、幅広な大型の木製天板も有効に構成することができる。
【００４７】
その他の構成も、本発明の趣旨を逸脱しない範囲で種々変形が可能である。
【図面の簡単な説明】
【００４８】
【図１】本発明の一実施形態に係る組立式木製天板を適用したテーブルの斜視図。
【図２】同天板の構成を一部分解して示す概念的な斜視図。
【図３】同天板の構成を一部分解して示す概念的な斜視図。
【図４】同実施形態で用いるブラケットを示す図。
【図５】同実施形態の天板の組立状態を示す配列方向に沿った断面図。
【図６】同実施形態のブラケットに脚フレームとなる奥行き方向フレームを取り付けた状態を示す図。
【図７】本発明を大型天板に展開するための構成を示す模式的な平面図。
【図８】本発明を大型天板に展開するための他の構成を示す模式的な平面図。
【符号の説明】
【００４９】
１…天板構成部材（エンド天板部材）
２…天板構成部材（中間天板部材）
３…連結具
４…金属板材（幅方向フレーム）
６…ブラケット
７ａ…密接部材（ワッシャ）
１２…非貫通孔
１４，２４…凹所
２２…貫通孔
３１…連結杆
３２…ナット
３Ａ…第１の部分連結杆
３Ｂ…第２の部分連結杆
３ｐ…第１連結杆
３ｑ…第２連結杆
３ｒ…第３連結杆
Ａ…組立式木製天板
Ｂ…天板付き家具（テーブル）
Ｘ…凹凸関連部
【図１】
2010115850.tif 000003
【図２】
2010115850.tif 000004
【図３】
2010115850.tif 000005
【図４】
2010115850.tif 000006
【図５】
2010115850.tif 000007
【図６】
2010115850.tif 000008
【図７】
2010115850.tif 000009
【図８】
2010115850.tif 000010